(57)【要約】【課題】おむつの通気性を向上させる。【解決手段】おむつ２は、着用者の肌に対向する肌対向面をなす表面材２２と、表面材２２の幅方向の両側に設けられて長手方向に延在する一対のシート２３とを備えている。シート２３の各々は、表面材２２の肌側に重なる重複部３を有する。重複部３は、幅方向の外端３ａが表面材２２に固定された固定端をなし、幅方向の内端３ｂが長手方向の全域にわたって自由端をなす。【選択図】図２
2022002688.tif 000002
【特許請求の範囲】
【請求項１】
着用者の肌に対向する肌対向面をなす表面材と、
前記表面材の肌側に重なる重複部を有し、前記表面材の幅方向の両側に設けられて長手方向に延在する一対のシートと、を備え、
前記重複部は、幅方向の外端が前記表面材に固定された固定端をなし、幅方向の内端が長手方向の全域にわたって自由端をなす
ことを特徴とする、おむつ。
【請求項２】
前記表面材の非肌側かつ幅方向の中央部に設けられた吸収体と、
前記吸収体よりも長手方向の外側で前記表面材が幅方向に伸縮可能に皺寄せられてなるウェストギャザーと、を備えた
ことを特徴とする、請求項１に記載のおむつ。
【請求項３】
前記表面材は、前記ウェストギャザーよりも長手方向の内側の前記肌対向面において非肌側へ窪むと共に幅方向に延在する凹部を有する
ことを特徴とする、請求項２に記載のおむつ。
【請求項４】
前記凹部は、前記吸収体よりも長手方向の外側で前記吸収体の長手方向の端部に沿って設けられた
ことを特徴とする、請求項３に記載のおむつ。
【請求項５】
前記吸収体は、長手方向の中間部をなす主部と、前記主部よりも長手方向の外側で幅方向に延在すると共に厚み方向の寸法が前記主部に比べて小さい薄肉部と、を有し、
前記凹部は、厚み方向視で前記薄肉部と重なる領域に設けられた
ことを特徴とする、請求項３又は４に記載のおむつ。
【請求項６】
前記重複部は、前記内端に取り付けられて長手方向に弾性変形する弾性部材を有し、前記弾性部材が長手方向に収縮することで肌側に起立する
ことを特徴とする、請求項１〜５のいずれか一項に記載のおむつ。
【請求項７】
前記弾性部材は、前記重複部の長手方向の全域に設けられた
ことを特徴とする、請求項６に記載のおむつ。
【請求項８】
前記弾性部材は、前記重複部の長手方向の中央域のみに設けられた
ことを特徴とする、請求項６に記載のおむつ。
【請求項９】
前記重複部は、前記外端と前記内端とにわたって延びる第一シート部と、前記第一シート部に対して前記内端で折り返された第二シート部と、を有し、
前記第一シート部と前記第二シート部とは、長手方向に延在すると共に長手方向の外側へ開放された通気路を相互間に画成する
ことを特徴とする、請求項１〜８のいずれか一項におむつ。
【請求項１０】
前記第一シート部及び前記第二シート部は、通気性をもつ材料で形成された
ことを特徴とする、請求項９に記載のおむつ。
【請求項１１】
前記通気路は、長手方向の内側へ開放された
ことを特徴とする、請求項９又は１０のいずれか一項に記載のおむつ。
【発明の詳細な説明】
【技術分野】
【０００１】
本件は、通気性が高められたおむつに関する。
【背景技術】
【０００２】
従来、通気性を向上させるために、着用者の肌に対向する肌対向面にエンボスとも呼ばれる溝を備えたおむつが知られている。例えば、肌対向面（肌当接面）をなす表面シートに千鳥状のパターンで凹凸形状が設けられた溝付きのおむつが提案されている（特許文献１参照）。
【先行技術文献】
【特許文献】
【０００３】
【特許文献１】特開２０１６−０３４３４１号公報
【発明の概要】
【発明が解決しようとする課題】
【０００４】
しかしながら、肌対向面に千鳥状に設けられた溝（凹部）では、装着状態のおむつにおいて、内部の空気を長手方向に沿って流せないため、おむつ内の空気を外部へ排出できない虞がある。よって、従来のおむつは、通気性を向上させるうえで改善の余地がある。
【０００５】
本件は、上記のような課題に鑑みて創案されたものであり、おむつの通気性を向上させることを目的の一つとする。
【課題を解決するための手段】
【０００６】
本件のおむつは、着用者の肌に対向する肌対向面をなす表面材と、前記表面材の肌側に重なる重複部を有し、前記表面材の幅方向の両側に設けられて長手方向に延在する一対のシートと、を備え、前記重複部は、幅方向の外端が前記表面材に固定された固定端をなし、幅方向の内端が長手方向の全域にわたって自由端をなすことを特徴としている。
【発明の効果】
【０００７】
本件によれば、おむつの通気性を向上させられる。
【図面の簡単な説明】
【０００８】
【図１】おむつの分解斜視図である。
【図２】おむつを肌側から視た平面図である。
【図３】おむつを幅方向に切断した模式的な断面図であり、（ａ）は図２のＡ−Ａ矢視断面を示し、（ｂ）は図２のＢ−Ｂ矢視断面を示す。
【図４】ウェストギャザーにおいて皺寄せられたおむつの後身頃を肌側から視た平面図である。
【図５】凹部を説明するための模式的な断面図である。
【図６】凹部の変形例を説明するための模式的な断面図である。
【図７】変形例に係る弾性部材が適用されたおむつを肌側から視た平面図（図２に対応する図）である。
【発明を実施するための形態】
【０００９】
本件のおむつを実施するための形態を説明する。この実施形態はあくまでも例示に過ぎず、下記の実施形態で明示しない種々の変形や技術の適用を排除する意図はない。本実施形態の各構成は、それらの趣旨を逸脱しない範囲で種々変形して実施できる。また、必要に応じて取捨選択でき、あるいは適宜組み合わせることができる。
【００１０】
［１．構成］
［１−１．全体構成］
まず、図１及び図２を参照して、本実施形態に係るおむつ２の全体構成を説明する。
本実施形態のおむつ２は、着用者に装着された装着状態において、着用者の腹部に対向する前身頃２Ａと、着用者の背部に対向する後身頃２Ｂとが、止着テープ１（以下、単に「テープ１」という）で互いに連結されるテープ型のものである。ここでは、おむつ２として紙おむつ（いわゆる使い捨ておむつ）を例示する。なお、おむつ２には、上記の前身頃２Ａ及び後身頃２Ｂに加えて、装着状態で着用者の股間に対向する股下部２Ｃが設けられる。股下部２Ｃは、おむつ２が平面状に広げられた展開状態で、前身頃２Ａと後身頃２Ｂとの間に位置する。
【００１１】
以下、展開状態で前身頃２Ａと後身頃２Ｂとを結ぶ方向を「長手方向」とする。また、装着状態で着用者の肌に向かう側を「肌側」とし、この反対側を「非肌側」とする。さらに、肌側と非肌側とを結ぶ方向を「厚み方向」とし、長手方向と厚み方向とのいずれにも直交する方向を「幅方向」とする。そのほか、厚み方向から視ることを「平面視」とする。
本実施形態のおむつ２は、幅方向の中心線Ｏを基準として対称に形成されている。おむつ２は、テープ１と、吸収体２１と、種々のシート２２〜２６と、種々のギャザー２７〜２９とを備えている。以下、これらの構成について順に説明する。
【００１２】
＜テープ＞
テープ１は、前身頃２Ａ及び後身頃２Ｂの一方における幅方向の両側に着脱不能に設けられ、前身頃２Ａ及び後身頃２Ｂの他方に着脱可能に設けられる。本実施形態では、後身頃２Ｂ（前身頃２Ａ及び後身頃２Ｂの一方）の幅方向の両側に設けられ、おむつ２の装着時に前身頃２Ａ（前身頃２Ａ及び後身頃２Ｂの他方）に止着されるテープ１を例示する。なお、テープ１の個数は特に限定されないが、ここではテープ１が後身頃２Ｂの幅方向の両側に一つずつ（合計一対）設けられた例を示す。
【００１３】
＜吸収体＞
吸収体２１は、水分を吸収して保持するマット状の部材である。吸収体２１は、例えば、高吸水性樹脂（ＳＡＰ；Super Absorbent Polymer）がフラッフパルプに混合されたマットを、親水性の不織布やティシュペーパ等のコアラップシートで被包することにより形成され、テープ１やシート２２〜２６よりも厚み方向の寸法（以下、「厚み寸法」ともいう）が大きい。
【００１４】
吸収体２１は、おむつ２において着用者の肌に対向する肌対向面よりも非肌側に設けられ、前身頃２Ａと股下部２Ｃと後身頃２Ｂとにわたって長手方向に延びる。吸収体２１は、尿や便等の排泄物が着用者から排泄されうる箇所を含む領域に配置される。ここでは、肌対向面をなす表面材（本実施形態では後述のトップシート２２）に対し、非肌側かつ幅方向の中央部に設けられた吸収体２１を例示する。
【００１５】
＜シート＞
シート２２〜２６はいずれも、展開状態で長手方向及び幅方向に沿って広がるシート状の部材である。
吸収体２１の肌側には、液透過性をもつトップシート２２（表面材）が配置される。本実施形態のトップシート２２は、おむつ２の肌対向面をなす。トップシート２２は、吸収体２１よりも長手方向及び幅方向に長く形成され、吸収体２１を肌側から被覆するように設けられる。トップシート２２は、例えば、織布や不織布で形成される。ここでは平面視で矩形状をなすトップシート２２を例示する。
【００１６】
本実施形態のトップシート２２は、おむつ２の長手方向の全域にわたって設けられている。すなわち、図２に示すようにトップシート２２は、おむつ２の長手方向の一端部２ｆから他端部２ｒまで延在する。以下、おむつ２の長手方向の一端部２ｆ及び他端部２ｒのうち、前身頃２Ａ側の一方を「腹側端部２ｆ」ともいい、後身頃２Ｂ側の他方を「背側端部２ｒ」ともいう。
【００１７】
トップシート２２の幅方向の外側には、吸収体２１から幅方向の外側への液漏れを防ぐために、液不透過性をもつサイドシート２３（シート）が配置される。サイドシート２３は、好ましくは、通気性と柔軟性をもつ材料で形成される。サイドシート２３に適用される材料としては、例えば、ＳＭＳ（Spunbond Meltblown Spunbond）不織布やＳＭＭＳ（Spunbond Meltblown Meltblown Spunbond）不織布が挙げられる。本実施形態のサイドシート２３は、通気性をもつ材料で形成されている。
サイドシート２３は、トップシート２２の幅方向の両側に一対設けられて長手方向に延在する。本実施形態のサイドシート２３は、トップシート２２と同様に、おむつ２の長手方向の全域にわたって設けられている。
【００１８】
各サイドシート２３は、トップシート２２の肌側に重なる重複部３を有する。重複部３は、サイドシート２３のうち厚み方向視でトップシート２２と重なって配置される部分であって幅方向の内側部分に対応し、長手方向に延在する。以下、重複部３における幅方向の外側の端部３ａを「外端３ａ」ともいい、重複部３における幅方向の内側の端部３ｂを「内端３ｂ」ともいう。
本実施形態の重複部３は、内端３ｂに取り付けられて長手方向に弾性変形する縦弾性部材７（弾性部材）を有し、後述の立体ギャザー２７をなす。
【００１９】
図１に示すように、吸収体２１の非肌側には、吸収体２１から非肌側への液漏れを防ぐために、液不透過性をもつバックシート２４が配置される。バックシート２４は、例えばフィルムで形成される。
バックシート２４の非肌側には、バックシート２４を補強すると共に触感（例えば手触り）を向上させるためにカバーシート２５が配置される。カバーシート２５は、例えば、織布や不織布で形成される。なお、カバーシート２５とサイドシート２３との間には、テープ１が挟装される。
【００２０】
カバーシート２５の非肌側には、テープ１が止着されるターゲットゾーンをなすパッチシート２６が貼着される。本実施形態では、前身頃２Ａに設けられたパッチシート２６を例示する。パッチシート２６は、テープ１に設けられる止着材（図示略）と共にファスニング機構を構成する。このファスニング機構としては、例えば、フック材（雄部材）とループ材（雌部材）とで機械的に結合する面状ファスナーを適用できる。
【００２１】
＜ギャザー＞
ギャザー２７〜２９は、ゴムや伸縮フィルムやポリウレタンといった弾性部材により、サイドシート２３やカバーシート２５等が襞状に皴寄せられて構成される。ギャザー２７〜２９は、おむつ２の着用者へのフィット性を高める機能をもつ。なお、図１及び図２には、ギャザー２７〜２９の皺が伸ばされたおむつ２を示す。
【００２２】
立体ギャザー２７は、サイドシート２３の重複部３が縦弾性部材７により長手方向に伸縮可能に皺寄せられて構成されている。立体ギャザー２７は、上記のとおり重複部３で構成されることから、トップシート２２の幅方向の両側かつ肌側に一対設けられ、長手方向に延在する。
ここでは、長手方向に沿って延在する糸状の複数の縦弾性部材７が幅方向に間隔をあけて設けられた例を示す。立体ギャザー２７（すなわち重複部３）は、縦弾性部材７が長手方向に収縮することで肌側に起立する。
【００２３】
レッグギャザー２８は、おむつ２において着用者の脚部に沿う箇所に設けられる。レッグギャザー２８は、例えば、サイドシート２３とバックシート２４とカバーシート２５とが、長手方向に延在するレッグ用弾性部材８で長手方向に伸長可能に皺寄せられて構成される。
ウェストギャザー２９は、おむつ２において着用者の腰部（臀部の上方）に対向する箇所に設けられる。詳細には、ウェストギャザー２９は、吸収体２１よりも長手方向の外側で、トップシート２２が幅方向に伸縮可能に皺寄せられて構成される。ここでは、幅方向に弾性変形する横弾性部材９により、シート２２〜２５が幅方向に伸縮可能に皺寄せられてなるウェストギャザー２９を例示する。なお、本実施形態の横弾性部材９は、長手方向かつ幅方向に沿って配置されたシート状の部材であって、トップシート２２とバックシート２４との間に挟装されている。
【００２４】
［１−２．要部構成］
以下、サイドシート２３の重複部３と、トップシート２２に設けられた凹部６とについて順に詳述する。
図２に示すように、本実施形態の重複部３は、平面視で矩形状をなし、おむつ２の長手方向の全域にわたって延在する。重複部３の外端３ａ及び内端３ｂはいずれも、腹側端部２ｆと背側端部２ｒとの間で長手方向に沿って延びている。
【００２５】
重複部３は、外端３ａがトップシート２２に固定された固定端をなし、内端３ｂが長手方向の全域にわたって自由端をなす。このような外端３ａと内端３ｂとを有する重複部３は、おむつ２の長手方向の全域にわたって、トップシート２２から肌側かつ幅方向の内側へフラップ状に突設されている。
【００２６】
より詳細には、重複部３の外端３ａは、トップシート２２における幅方向の外側の端部２２ａに対し、長手方向の全域で固定されている。重複部３の外端３ａとトップシート２２との固定には、例えばホットメルト接着剤を適用できる。
一方、重複部３の内端３ｂは、長手方向の全域にわたっていずれの部材にも固定されておらず、自由に動けるように設けられている。したがって、重複部３の内端３ｂは、着用者の肌との接触状態に応じて変形する。
【００２７】
上記のとおり、本実施形態の重複部３は、縦弾性部材７を有することで立体ギャザー２７をなす。縦弾性部材７は、長手方向及び幅方向に沿う平面状に配置された重複部３の内端３ｂに対し、長手方向に伸長（弾性変形）した状態で取り付けられる。これにより、縦弾性部材７の長手方向の伸長が解除された（又は緩められた）状態では、重複部３が長手方向に伸長可能に皺寄せられて立体ギャザー２７が設けられる。
【００２８】
本実施形態の縦弾性部材７は、重複部３の長手方向の中央域Ｒａのみに設けられている。言い換えると、縦弾性部材７は、重複部３のうち、中央域Ｒａよりも長手方向の外側の外域Ｒｂには設けられていない。
ここでは、吸収体２１の長手方向の両端部２１ｆ，２１ｒよりも長手方向の内側に設定された中央域Ｒａを例示する。すなわち、縦弾性部材７は、吸収体２１よりも長手方向の外側には配置されておらず、ウェストギャザー２９と干渉せずに設けられている。したがって、重複部３は、少なくとも吸収体２１の長手方向の外側では、縦弾性部材７で皺寄せられていない。
【００２９】
図３（ａ），（ｂ）に示すように、本実施形態の重複部３は、外端３ａと内端３ｂとにわたって延びる第一シート部３１と、第一シート部３１に対して内端３ｂで折り返された第二シート部３２とを有する。ここでは、第一シート部３１に対して非肌側に配置された第二シート部３２を例示する。なお、図３（ａ）では、縦弾性部材７及びレッグ用弾性部材８の断面を黒塗りで示す。
【００３０】
本実施形態の第一シート部３１及び第二シート部３２は、中央域Ｒａと外域Ｒｂとで、相対的な配置が異なる。図３（ａ）に示すように、中央域Ｒａにおける第一シート部３１及び第二シート部３２は、相互間に縦弾性部材７を挟み込みつつ重ね合わされたうえで互いに接合されている。一方、図３（ｂ）に示すように、外域Ｒｂにおける第一シート部３１及び第二シート部３２は、相互間に隙間３０をあけて設けられている。この隙間３０は、装着状態のおむつ２において空気の通り道となる。以下、この隙間３０を「通気路３０」ともいう。このように、本実施形態の第一シート部３１と第二シート部３２とは、外域Ｒｂにおいて通気路３０を相互間に画成する。
【００３１】
通気路３０は、長手方向に延在すると共に長手方向の外側へ開放されている。詳細には、後身頃２Ｂ側の外域Ｒｂに設けられた通気路３０は、背側端部２ｒにおいておむつ２の外部へ開放されており、前身頃２Ａ側の外域Ｒｂに設けられた通気路３０は、腹側端部２ｆにおいておむつ２の外部へ開放されている。
また、本実施形態の通気路３０は、長手方向の内側へも開放されている。すなわち、各通気路３０は、長手方向の内端が中央域Ｒａに向けて開放されている。
このように、長手方向の外側と内側とのそれぞれへ開放された通気路３０は、その長手方向の両端部に、空気が流入または流出する開口を有する。
【００３２】
ここでは、第一シート部３１と第二シート部３２とトップシート２２の一部とが筒状をなすことで形成された通気路３０を例示する。言い換えると、ここで例示する通気路３０は、第一シート部３１と第二シート部３２とトップシート２２の一部とで囲まれた中空状の部位である。
第二シート部３２は、中央域Ｒａでは第一シート部３１に接合されているのに対し、外域Ｒｂではトップシート２２に固定されている。ここでは、内端３ｂよりも幅方向の外側かつ外端３ａよりも幅方向の内側であって、厚み方向視で吸収体２１と重なる位置において、トップシート２２に固定された第二シート部３２を例示する。
なお、本実施形態の第一シート部３１及び第二シート部３２はいずれも、通気性をもつ材料で形成されたサイドシート２３の一部であることから、通気性をもつ。
【００３３】
図４は、ウェストギャザー２９においてシート２２〜２５が皺寄せられた後身頃２Ｂを肌側から視た平面図である。図４に示すように、本実施形態のトップシート２２は、ウェストギャザー２９よりも長手方向の内側の肌対向面において非肌側へ窪むと共に幅方向に延在する凹部６を有する。凹部６は、肌対向面において、長手方向の内側から外側へ向かう尿や便等の排泄物を捕捉（トラップ）するための空間を画成する。
【００３４】
本実施形態の凹部６は、後身頃２Ｂにおいて、吸収体２１よりも長手方向の外側で吸収体２１の長手方向の端部２１ｒに沿って設けられている。図５に示すように、凹部６は、より具体的には、後身頃２Ｂにおいて吸収体２１により形成される厚み方向の段差で形成されている。本実施形態の凹部６は、吸収体２１と横弾性部材９との間であって厚み寸法が相対的に小さい部分に設けられている。
【００３５】
上記のように吸収体２１よりも長手方向の外側に設けられた凹部６に代えて（あるいは加えて）、図６に示すように、吸収体２１′と重なる領域に設けられた凹部６′が適用されてもよい。この凹部６′が適用される場合には、厚み寸法が異なる少なくとも二つの部位を有する吸収体２１′が適用される。
【００３６】
具体的には、吸収体２１′は、その長手方向の中間部をなす主部２１ｃと、主部２１ｃよりも長手方向の外側で幅方向に延在すると共に厚み寸法が主部２１ｃに比べて小さい薄肉部２１ｄとを有する。凹部６′は、このような吸収体２１′が適用される場合には、肌対向面のうち厚み方向視で薄肉部２１ｄと重なる領域に設けられる。
なお、上記の二種類の凹部６，６′が併用される場合には、吸収体２１′よりも長手方向の外側に設けられた凹所と、厚み方向視で薄肉部２１ｄと重なる領域に設けられた凹所とを併せて凹部を形成すればよい。
【００３７】
［２．作用及び効果］
（１）図２に示すように、上記のおむつ２に設けられたサイドシート２３の重複部３は、外端３ａがトップシート２２に固定された固定端をなし、内端３ｂが長手方向の全域にわたって自由端をなすため、内端３ｂが着用者の肌との接触状態に応じて長手方向の全域で自由に変形可能となる。これにより、装着状態のおむつ２において、重複部３と着用者の肌との間に長手方向に延びる隙間が生じやすくなるため、この隙間を通じておむつ２内の空気を外部へと排出できる。よって、おむつ２の通気性を向上させられる。延いては、通気性の向上によりおむつ２の蒸れが抑制されるため、おむつ２の履き心地の向上に資する。
【００３８】
また、上記のように内端３ｂが自由端をなす重複部３は、トップシート２２に対して相対移動（スリップ）可能である。このため、おむつ２の着用者やその介護者及び保護者など（以下、「使用者」ともいう）がおむつ２に触れた際に、重複部３とトップシート２２とが相対移動することで、使用者に柔らかい触感（肌触り，手触り）を与えられる。
特に、包装袋からおむつ２を取り出す際におむつ２を掴む使用者の指（例えば親指）は、長手方向に沿って配置されることが多く、幅方向に動く傾向にある。これに対し、上記のように幅方向の内端３ｂが自由端をなす重複部３は、トップシート２２に対して幅方向にスリップ可能であるため、使用者の指が幅方向に動いた場合であっても、重複部３とトップシート２２とが相対移動することで、使用者に柔らかい触感を確実に与えられる。
【００３９】
さらに、内端３ｂが長手方向の全域にわたって自由端をなす重複部３は、長手方向の全域にわたってトップシート２２に対して相対移動可能である。このため、使用者がおむつ２の長手方向のいずれの位置で重複部３（又はカバーシート２５のうち重複部３と厚み方向に重なる部分）に触れた場合であっても、重複部３とトップシート２２とが相対移動することで、使用者に柔らかい触感を与えられる。
【００４０】
（２）おむつ２では、吸収体２１よりも長手方向の外側に設けられたウェストギャザー２９により、吸収体２１よりも長手方向の外側におけるフィット性を高められる。このため、装着状態のおむつ２において、上記のように重複部３と着用者の肌との間に生じた隙間で通気性を向上させつつも、ウェストギャザー２９により排泄物の漏れ（本実施形態では背漏れ）を抑制できる。
【００４１】
（３）図４に示すように、トップシート２２のうちウェストギャザー２９よりも長手方向の内側の肌対向面には凹部６が設けられるため、長手方向の内側からウェストギャザー２９へ向かう排泄物を凹部６で捕捉できる。よって、排泄物の漏れ（本実施形態では背漏れ）を確実に抑制できる。
【００４２】
（４）図５に示すように、凹部６が吸収体２１よりも長手方向の外側で吸収体２１の長手方向の端部２１ｒに沿って設けられるため、他の構成と比較して厚み寸法が大きい吸収体２１を利用して凹部６を形成できる。すなわち、吸収体２１によって生じる厚み方向の段差を利用して凹部６を形成できる。このため、凹部６により排泄物の漏れを抑制しつつ、おむつ２の構成の複雑化を抑えられる。
【００４３】
（５）図６に示すように、主部２１ｃと主部２１ｃよりも厚み寸法が小さい薄肉部２１ｄとを有する吸収体２１′を採用し、厚み方向視で薄肉部２１ｄと重なる領域に凹部６′を設ければ、吸収体２１′の薄肉部２１ｄを利用して凹部６′を形成できる。この場合には、凹部６′で排泄物を捕捉できるうえに、凹部６′における吸液性が薄肉部２１ｄで確保されるため、排泄物の漏れを更に抑制できる。
【００４４】
（６）図３（ａ）に示すように、内端３ｂに取り付けられた縦弾性部材７が長手方向に収縮することで肌側に起立する重複部３によれば、装着状態のおむつ２において、重複部３と着用者の肌との間に隙間が更に生じやすくなるため、より確実に通気性を高められる。このように肌側に起立した重複部３によれば、幅方向の内側から移動してきた排泄物を塞き止められるため、排泄物の幅方向の漏れ（横漏れ）を抑制できる。
さらに、凹部６が設けられたおむつ２は、縦弾性部材７が凹部６よりも肌側で長手方向に収縮することにより、肌側を内側にして曲がるため、凹部６をより適切に窪ませられる。したがって、凹部６による排泄物の捕捉効果をより確実に発揮させられる。
【００４５】
（７）図２に示すように、重複部３の長手方向の中央域Ｒａのみに設けられた縦弾性部材７によれば、中央域Ｒａで上記のように重複部３を肌側に起立させつつ、中央域Ｒａ以外の外域Ｒｂで縦弾性部材７による長手方向の収縮を回避できる。これにより、中央域Ｒａでは上記のとおり重複部３と着用者の肌との間に生じた隙間により通気性を確保しつつも、外域Ｒｂでは着用者の腹部や背部に対するフィット性の低下を抑制できる。
特に、ウェストギャザー２９が設けられたおむつ２では、縦弾性部材７がウェストギャザー２９と干渉せずに設けられることで、ウェストギャザー２９をより適切に形成できる。したがって、ウェストギャザー２９によるフィット性をより確実に発揮させられる。
【００４６】
（８）図３（ｂ）に示すように、重複部３では、第一シート部３１と第二シート部３２とが、長手方向に延在すると共に長手方向の外側へ開放された通気路３０を相互間に画成するため、装着状態のおむつ２内の空気を、通気路３０を通じて外部へと排出できる。よって、通気性をより高められる。
【００４７】
（９）通気性をもつ材料で形成された第一シート部３１及び第二シート部３２によれば、第一シート部３１及び第二シート部３２を通じて空気が通気路３０に流入可能となるため、通気路３０に対していずれの方向からも空気を流入させられる。よって、通気性を更に高められる。
【００４８】
（１０）長手方向の内側へ開放された通気路３０では、空気が流入または流出する開口が長手方向の両端部に設けられることから、長手方向の空気の流れを促進できる。これにより、通気性を更に高められる。
【００４９】
［３．変形例］
上記の中央域Ｒａのみに設けられる縦弾性部材７に代えて、図７に示すように、重複部３の長手方向の全域に設けられる縦弾性部材７′が適用されてもよい。すなわち、重複部３の内端３ｂには、長手方向の全域にわたって縦弾性部材７′が取り付けられてもよい。ここでは、上記の実施形態で説明した要素と同一又は対応する要素に同一の符号を付し、重複する説明を省略する。
【００５０】
本変形例の縦弾性部材７′が設けられた重複部３は、縦弾性部材７′が長手方向に収縮することで、長手方向の全域が肌側に起立する。したがって、装着状態のおむつ２では、長手方向の全域で重複部３と着用者の肌との間に隙間がより生じやすくなるため、より確実に通気性を高められる。また、このように長手方向の全域にわたって肌側に起立した重複部３によれば、幅方向の内側から移動してきた排泄物を長手方向のいずれの位置においても塞き止められることから、長手方向位置によらず排泄物の横漏れを更に抑制できる。
そのほか、本変形例の縦弾性部材７′が適用されたおむつ２によれば、上記の実施形態と同様の構成からは同様の作用及び効果が得られる。
【００５１】
上記の中央域Ｒａ及び外域Ｒｂの設定は一例である。中央域Ｒａは、吸収体２１よりも長手方向の外側まで延びていてもよい。また、外域Ｒｂは、中央域Ｒａよりも長手方向の外側の領域として設定されればよい。
上記のギャザー２７〜２９及び凹部６は、おむつ２から省略されてもよい。仮に、縦弾性部材７が省略されることで立体ギャザー２７が省略されたり、トップシート２２から凹部６が省略されたりしても、上記のように重複部３の内端３ｂが長手方向の全域にわたって自由端をなすことで、上記の実施形態と同様におむつ２の通気性を向上させられる。
【００５２】
上記の通気路３０の構成は一例である。通気路３０は、重複部３の第一シート部３１及び第二シート部３２のみで画成された空間であってもよいし、重複部３の長手方向の全域に延びていてもよい。なお、通気路３０は、おむつ２から省略されてもよい。
第二シート部３２は、第一シート部３１に対して内端３ｂで折り返されればよく、第一シート部３１の肌側に配置されてもよい。なお、第一シート部３１及び第二シート部３２の材料は特に限定されない。
おむつ２の肌対向面は、トップシート２２以外の要素で構成されてもよい。また、上記のように内端３ｂが長手方向の全域にわたって自由端をなす重複部３は、テープ型のおむつ２に限らず、パンツ型のおむつにも適用可能である。
【００５３】
なお、重複部３の幅方向の寸法（以下、「幅寸法」ともいう）は、長手方向の全域にわたって２０ｍｍ以上、４０ｍｍ以下であることが好ましい。ここでいう重複部３の幅寸法とは、重複部３における外端３ａと内端３ｂとの幅方向の距離に相当する。
重複部３の幅寸法が長手方向の全域にわたって２０ｍｍ以上であると、トップシート２２に対する重複部３のスリップ性が確保されやすくなるとともに、おむつ２を掴んだ使用者の指が重複部３（又はカバーシート２５のうち重複部３と厚み方向に重なる部分）に触れやすくなる。このため、より確実に使用者に柔らかい触感を与えられる。
また、重複部３の幅寸法が長手方向の全域にわたって４０ｍｍ以下であると、着用状態でのごわつきが抑えられるため、着用者に違和感を与えにくくできる。したがって、重複部３により通気性を向上させつつも、装着感の低下を抑えられる。
【符号の説明】
【００５４】
１      テープ（止着テープ）
２      おむつ
２Ａ    前身頃
２Ｂ    後身頃
２Ｃ    股下部
２ｆ    腹側端部
２ｒ    背側端部
３      重複部
３ａ    外端
３ｂ    内端
６，６′  凹部
７，７′  縦弾性部材（弾性部材）
８      レッグ用弾性部材
９      横弾性部材
２１，２１′  吸収体
２１ｃ  主部
２１ｄ  薄肉部
２１ｆ  長手方向の端部
２１ｒ  長手方向の端部
２２    トップシート（表面材）
２２ａ  幅方向の外側の端部
２３    サイドシート（シート）
２４    バックシート
２５    カバーシート
２６    パッチシート
２７    立体ギャザー
２８    レッグギャザー
２９    ウェストギャザー
３０    通気路
３１    第一シート部
３２    第二シート部
Ｏ      幅方向の中心線
Ｒａ    中央域
Ｒｂ    外域
【図１】
2022002688.tif 000003
【図２】
2022002688.tif 000004
【図３】
2022002688.tif 000005
【図４】
2022002688.tif 000006
【図５】
2022002688.tif 000007
【図６】
2022002688.tif 000008
【図７】
2022002688.tif 000009